(57)【要約】【課題】移動が容易で、かつ、使いやすい平面画像表示装置を提供する。【解決手段】平面画像表示装置（１）が、平面画像表示部（３）を有する本体部（２）と、本体部を支持する支持手段と、を備える。ここで、支持手段は、本体部２の角度を垂直と水平の間で調整可能とする回動機構（８４，８５）と、本体部の高さを調整可能とする昇降機構（８２）と、キャスター（８）と、を有する。【選択図】図１
2006064845.tif 000002
【特許請求の範囲】
【請求項１】
平面画像表示部を有する本体部と、
前記本体部を支持する支持手段と、を備え、
前記支持手段が、
前記本体部の角度を垂直と水平の間で調整可能とする回動機構と、
前記本体部の高さを調整可能とする昇降機構と、
キャスターと、を有する
ことを特徴とする平面画像表示装置。
【請求項２】
装置を移動させるときに把持する把持部が前記本体部に設けられていることを特徴とする請求項１に記載の平面画像表示装置。
【請求項３】
前記平面画像表示部の外周にバンパーが設けられていることを特徴とする請求項１または２に記載の平面画像表示装置。
【請求項４】
前記平面画像表示部に表示するための電子データを処理する情報処理部が、前記本体部に内蔵されていることを特徴とする請求項１〜３のうちいずれかに記載の平面画像表示装置。
【請求項５】
前記情報処理部が外部機器もしくは記録媒体と前記電子データの入出力を行うためのデータ入出力部が、前記本体部の前面に設けられていることを特徴とする請求項４に記載の平面画像表示装置。
【請求項６】
無線通信機能をもつ別体のキーボードを備え、
前記本体部が、前記キーボードで入力されたキーを受信する通信部と、前記キーボードを充電しながら収納する収納部と、を有することを特徴とする請求項４または５に記載の平面画像表示装置。
【請求項７】
前記キーボードを操作可能な姿勢で前記本体部に取り付けるための取付構造が設けられていることを特徴とする請求項６に記載の平面画像表示装置。
【請求項８】
無線通信機能をもつ別体のスキャナーを備え、
前記本体部が、前記スキャナーで読み取られた画像を受信する通信部と、前記スキャナーを充電しながら収納する収納部と、を有することを特徴とする請求項４〜６のうちいずれかに記載の平面画像表示装置。
【請求項９】
前記平面画像表示部がタッチパネル式ディスプレイであることを特徴とする請求項１〜８のうちいずれかに記載の平面画像表示装置。
【発明の詳細な説明】
【技術分野】
【０００１】
本発明は、平面画像表示装置に関する。
【背景技術】
【０００２】
近年、ネットワークインフラの整備や、一人一台のパソコンなどの電子化設備の充実にともない、オフィスで作成される資料やデータのほとんどは電子データで作成されるようになっている。さらに、エコロジーペーパレス社会の到来やまた、企画、創作業務の知的創作活動がますます重要となったり、多くの情報を瞬時に処理しなければならない状況もある。このようなオフィス環境の中で作成される電子データは、会議や検討会の場で、紙に出力されることなく、プラズマディスプレー型などの会議用平面画像表示装置上に表示させ、それを見ながら、論議や検討などがおこなわれようになっている。
【０００３】
従来の会議用平面画像表示装置としては、図１７に示すようなものがある。この会議用
平面画像表示装置１５０は、表示ユニット１５０１と、スピーカー１５０２とで構成される平面画像表示装置本体部１５００を有する。この本体部１５００は、キャスター１５０４と設置固定用のネジ足１５０５を有する別体スタンド１５０３にねじ止めされている。別体スタンド１５０３に取付けられた棚部１５０６の上には、データ処理を行うパソコンなどの情報処理装置１５０７が載せられる。操作用のキーボード１５０８やマウス１５０９は、キーボードケーブル１５１１とマウスケーブル１５１２で情報処理装置１５０７に接続される。情報処理装置１５０７からの表示信号は表示用ケーブル１５１０で平面画像表示装置１５０に入力される。
【発明の開示】
【発明が解決しようとする課題】
【０００４】
今後は、企画、創作業務等の知的創作活動の需要がより一層増し、作成された電子データをすぐさま検討したり、討議したりする会議や検討会の頻度がますます増加することが予想される。また、オフィスのユビキタス環境の整備がすすむにつれて、いつでも、どこでも、だれとでも、容易に電子データを表示できる環境が整うことが希望されている。
【０００５】
しかしながら、上述したような従来の会議用平面画像表示装置１５０においては、以下に記載するような問題点がある。
【０００６】
従来の会議用平面画像表示装置１５０は、別体の装置を寄せ集め、ネジで取付けたり、棚部１５０６に載せたり、ケーブルで接続したりしなければならないので、移動や設置に手間と時間がかかる。スタンド１５０３にキャスター１５０４が付いてはいるが、これは、設置固定用のネジ足が用意されていることからわかるように、主に設置場所への搬入を目的としたものにすぎない。
【０００７】
このように、従来の会議用平面画像表示装置１５０は、使用者が頻繁に移動させることについて考慮されておらず、ある特定の会議室などに設置されたまま使用されることがほとんどである。それゆえ、使用にあたり会議室予約などの手間がかかったり、参加者全員がその会議室に出向かなければならない、という問題もあった。さらに、会議用平面画像表示装置１５０自体が使用されていなくても、会議室が使用されていると、他の者は会議用平面画像表示装置１５０を利用できないという弊害もある。
【０００８】
また、従来の平面画像表示装置本体１５００は、スタンド１５０３に垂直の状態に固定して取付けられている。そして通常、プレゼンテーションする者が画面を指し示し、他の
会議参加者は画面から離れた状態で見るというような使われ方がされている。このため、複数の者が同時に画面を指し示して互いの意見を出し合うというような使い方をすることが難しかった。
【０００９】
また、会議用平面画像表示装置１５０を移動させる場合には、オフィス家具や什器、壁面に衝突させてしまう可能性がある。しかし、従来の会議用平面表示装置１５０は搬送時の衝突対策が何ら施されていない。したがって、衝突の際に、オフィス家具や什器、壁面、または、会議用平面画像表示装置自体を損傷するおそれがあった。
【００１０】
また、従来の会議用平面画像表示装置１５０では、データ処理のための情報処理装置１５０７がスタンド１５０３の棚部１５０６の上に載置されている。情報処理装置１５０７の接続端子は通常、装置の背面に付いているため、たとえば外部ＵＳＢ機器や外部ビデオ／テレビチューナーや外部ＰＣ情報機器との接続作業は、情報処理装置１５０７を回転移動させたり、もしくは背面側に手を伸ばしたりの手探りでおこなう必要がある。よって、接続作業がしづらい上、手間がかかるという問題点があった。
【００１１】
また、情報処理装置１５０７で使用するキーボード１５０８や画像情報を読み込ませるスキャナーは、キーボードケーブル１５１１や、接続用ケーブルで接続しなければならない。そうするとケーブル長や配置に起因して、キーボード１５０８やスキャナーを使用できる位置が制限されることがある。また、キーボード１５０８やスキャナーは、別体となっているために、移動や設置に手間がかかるという問題もある。
【００１２】
また、情報処理装置１５０７で使用するキーボード１５０８やマウス１５０９は、通常、机上で使用する。したがって、キーボード１５０８やマウス１５０９を使用するためには机を準備する手間がかかり、逆に机が準備できない場合は使用できないという問題がある。
【００１３】
本発明は上記実情に鑑みなされたものであって、その目的とするところは、移動が容易で、かつ、使いやすい平面画像表示装置を提供することにある。
【課題を解決するための手段】
【００１４】
上記目的を達成するために本発明では、以下の構成を採用する。
【００１５】
本発明では、平面画像表示装置が、平面画像表示部を有する本体部と、前記本体部を支持する支持手段と、を備える。ここで、前記支持手段は、前記本体部の角度を垂直と水平の間で調整可能とする回動機構と、前記本体部の高さを調整可能とする昇降機構と、キャスターと、を有する。
【発明の効果】
【００１６】
本発明によれば、平面画像表示装置の移動が容易になり、また、使いやすさが向上する。
【発明を実施するための最良の形態】
【００１７】
以下に図面を参照して、この発明の好適な実施の形態を例示的に詳しく説明する。
【００１８】
図２は、本発明の一実施形態に係る会議用平面画像表示装置の構成を簡単に示すブロック図である。
【００１９】
会議用平面画像表示装置１（以下、単に「画像表示装置１」という。）は、作成された電子データをすぐさま検討するために会議参加者が持ち寄ったメモリー媒体６６１やＣＤ
／ＤＶＤメディア６７１などとの間で電子データを入出力するデータ入出力部６と、入力された電子データを情報処理する情報処理部５と、情報処理結果を画像信号として出力する表示出力部６１と、画像信号の表示機能及び画面上での入力機能を有する平面画像表示部３（以下、単に「表示部３」という。）と、駆動のための電源供給部７と、外部ネットワークとの通信を行うネットワーク接続部６８と、通信機能搭載キーボード９１１や通信機能搭載スキャナー９２１（以下、単に、「キーボード９１１」「スキャナー９２１」という。）との間で電子データの通信を行うキーボードスキャナー通信部９３と、を備える。
【００２０】
データ入出力部６と情報処理部５と表示出力部６１とネットワーク接続部６８と電源供給部７とキーボードスキャナー通信部９３は、装置駆動筐体部４（以下、単に「筐体部４」という。）を構成する。そして、筐体部４と表示部３とが平面画像表示装置本体部２（以下、単に「本体部２」という。）を構成する。
【００２１】
情報処理部５は、演算部５１と内部メモリー５２とを有する。また、情報処理部５がハードディスクなどの補助記憶装置を有することも好ましい。情報処理部５は、内部メモリー５２もしくは補助記憶装置に格納されたプログラムに基づき、表示部３に表示するための電子データの情報処理、処理結果の出力、各部の制御などを実行する。この情報処理には、例えば、ワープロソフト・表計算ソフト・プレゼンテーションソフトなどで作成された電子データを表示・編集する処理が含まれる。
【００２２】
データ入出力部６は、情報処理部５が外部機器もしくは記録媒体と電子データの入出力を行うためのインターフェース及び装置から構成される。詳しくは、データ入出力部６は、音声アンプスピーカー部６２と、ＵＳＢ入出力部６３と、ビデオ入力部６４と、ＲＧＢ入出力部６５と、外部メモリー媒体入出力部６６と、ＣＤ／ＤＶＤ再生記録部６７と、を有する。
【００２３】
ＵＳＢ入出力部６３は、外部ＵＳＢ機器６３１（例えば、プリンターや外部ハードディスク装置）との間で電子データの入出力を行う。ビデオ入力部６４は、外部ビデオ／テレビチューナー６４１などからアナログ映像データの入力を行う。ＲＧＢ入出力部６５は、外部ＰＣ情報機器６５１（例えば、パーソナルコンピュータ、ＰＤＡ、携帯電話、ゲーム機器、デジタルカメラ、デジタルビデオカメラ）との間でデジタル信号の入出力を行う。
【００２４】
外部メモリー媒体入出力部６６は、メモリー媒体６６１との間で電子データの入出力を行う。外部メモリー媒体入出力部６６は、さまざまなタイプのメモリー媒体６６１に対応していることが好ましい。メモリーカードアダプターなどの中継デバイスを介在させてもよい。
【００２５】
ＣＤ／ＤＶＤ再生記録部６７は、コンボドライブタイプであり、単体で、ＣＤ／ＤＶＤメディア６７１の読み書きが可能である。なお、ＣＤ／ＤＶＤの記録の仕様は限定されるものではない。
【００２６】
音声アンプスピーカー部６２は、情報処理部５で処理された音声信号を拡大音声として空間に出力する。情報処理部５は、例えば、ＣＤ／ＤＶＤ再生記録部６７を介しＣＤ／ＤＶＤメディア６７１から入力された音声データ、ビデオ入力部６４を介し外部ビデオ／テレビチューナー６４１から入力された音声データなどに基づいて、音声信号を生成する。
【００２７】
表示部３は、表示画像ユニット部３１と電子ペンポインター検出入力部３２とを有する。表示画像ユニット部３１は、いわゆる平面型ディスプレイパネルであり、例えば、ＳＥＤ（Surface-conduction Electron-emitter Display）、ＰＤＰ（Plasma Display Panel
）、有機ＥＬディスプレイ、ＴＦＴ・ＴＮ・ＳＴＮなどのＬＣＤ（Liquid Crystal Display）、ＦＥＤ（Field Emission Display）、もしくは、電気泳動方式電子ペーパーディスプレイから構成される。表示画像ユニット部３１は、カラーでもモノクロでもよい。表示出力部６１から出力された画像信号は表示画像ユニット部３１で表示される。電子ペンポインター検出入力部３２は、表示画像ユニット部３１の前面に設けられており、電子ペンポインター３３の位置（座標）検出を行う。つまり、表示部３はいわゆるタッチパネル式ディスプレイであり、電子ペンポインター３３により画面上から入力を行うことができる。
【００２８】
電源供給部７は、電源部７１と、キーボードスキャナー充電部７４と、収納充電クレードル部９とを備える。電源部７１は、本体部２の駆動電力を供給する。収納充電クレードル部９は、キーボード充電クレードル９１と、スキャナー充電クレードル９２とからなる。キーボード充電クレードル９１にキーボード９１１を挿入すると、キーボード９１１が充電される。また、スキャナー充電クレードル９２にスキャナー９２１を挿入すると、スキャナー９２１が充電される。電源供給部７には、電源コードプラグ接続端子７３が設けられている。電源コードプラグ接続端子７３には、電源コード７２が接続される。また電力供給のオン／オフは、電源スイッチ７５により行われる。
【００２９】
ネットワーク接続部６８には、ＬＡＮケーブル６８２を差し込むためのネットワーク接続部端子６８１が設けられている。画像表示装置１（情報処理部５）は、ネットワーク接続部６８を介して、ＬＡＮ６８３やインターネット６８４に接続可能である。
【００３０】
図１、図３、図４、図５は、画像表示装置１の外観の斜視図である。図１は、表示部３が垂直にセットされた状態を示している。これは主にプレゼンテーション時に利用される形態である。図３は、図１を背面から見た状態を示している。図４は図１を右面から見た状態を示している。図５は、表示部３が水平にセットされた状態を示している。これは主に討議時に利用される形態である。
【００３１】
本実施形態の画像表示装置１では、本体部２の前面側に表示部３が、背面側に筐体部４が設けられている。表示部３と筐体部４とはいずれも略平板形状を呈しており、本体部２はそれらの平板を前後に重ねた薄型形状を呈する。筐体部４の下端部は表示部３から張り出しており、その下端部の前面側にデータ入出力部６が設けられている。
【００３２】
本体部２を支持する支持手段は、キャスター８を４隅に有する脚部８１と、脚部８１から起立する昇降部８２と、昇降部８２の上部に設けられた支持部８４からなる。
【００３３】
支持部８４は水平方向に延びる板状部材であり、その両端には軸部８５が設けられている。本体部２は、２つの軸部８５にて回転自在に軸支されている。このような回動機構によって、本体部２の角度は、図１に示す垂直状態と図５に示す水平状態の間で調整可能となる。なお、軸の位置は、最も小さな力で本体部２を回動させることができるように設定することが好ましい。また、本体部２の角度を固定するストッパーを設けるとよい。
【００３４】
昇降部８２は、本体部２の高さを調整可能とする昇降機構であって、脚部８１に固定された固定筒と固定筒に係合するスライド筒とを有する。固定筒の下端前面に設けられた昇降解除ペダル８３を踏み込むと、固定筒とスライド筒の係合が外れ、スライド筒がスライド自在になり、昇降部８２の長さ（本体部２の高さ）を調整することができる。スライド筒を上方向に付勢する付勢部材（バネなど）を筒内に設けることにより、本体部２の昇降を小さな力で行えるようにするとよい。
【００３５】
表示部３の外周には、衝突事故時に傷付きを防止するためのバンパー３５が設けられて
いる。バンパー３５は、ゴム状弾性体、樹脂材、発泡素材などの弾性材料もしくは柔軟材料からなる。
【００３６】
本体部２には、手かけ部３４とハンドル部４１の２種類の把持部が設けられている。これらの把持部は画像表示装置１を移動させるときに把持する部分である。手かけ部３４は、表示部３の背面の左右両端に設けられている。ハンドル部４１は、筐体部４の下辺の左端から右端にかけて設けられている。ハンドル部４１とデータ入出力部６との間には、手で握ったり、指をかけたりできるような隙間部分が設けられている。
【００３７】
図３に示すように、脚部８１の底面の後部には、ネットワーク接続部端子６８１と、電源コードプラグ接続端子７３が設けられた接続ボックス８１１がある。電源コードプラグ接続端子７３には電源コード７２が接続され、ネットワーク接続部端子６８１にはＬＡＮケーブル６８２が接続される。
【００３８】
図６〜図１０を参照して、画像表示装置１の使用例について説明する。
【００３９】
図６と図７は、移動時の好ましい使用例を示している。画像表示装置１を会議開催場所に移動させる場合には、例えば図６に示すように、昇降部８２を伸ばして本体部２を最上部にセットした状態で、両手で手かけ部３４とバンパー３５を持ちながら画像表示装置１を押し移動させるとよい。あるいは図７に示すように、昇降部８２を縮めて本体部２を最下部にセットした状態で、両手でハンドル部４１を握りながら画像表示装置１を押し移動させてもよい。いずれの方法でも、一人だけで容易に画像表示装置１を移動させることができる。
【００４０】
なお、昇降部８２の長さをどのようにセットしても画像表示装置１の移動に支障はない。ただし、昇降部８２を最も縮めた状態の方が、画像表示装置１の重心が低くなり安定した移動ができるので好ましい。
【００４１】
本実施形態の画像表示装置１は、面積の大きな本体部２の角度を垂直と水平の間で自由に設定でき、かつ、本体部２の高さも自由に設定できるので、未使用時は保管場所のスペースに合わせて好ましい形態に変形することができる。保管場所はいくつか想定される。例えば、会議室の壁に沿わせるように保管されている場合、オフィス家具や什器があるオフィスフロアにおいて、そのオフィス家具や什器の間の空いたスペースに保管されている場合、オフィス家具や什器のないオープンフロアに保管されている場合などがある。
【００４２】
そして、その保管場所から移動するときには、その移動経路の広さや移動経路に存在する障害物（オフィス家具や什器）などの状態に合わせて、本体部２の角度や高さを調節すれば、移動作業が容易になる。しかも、キャスター、ハンドル部４１、手かけ部３４などが設けられているので、移動経路内をオフィス家具や什器を縫うようにスムースに移動させることが容易である。
【００４３】
さらに、本体部２の周囲にはバンパー３５が設けられているので、移動時に通路や障害物に接触させてしまった場合でも、通路、障害物、および画像表示装置１の傷付きを抑制することができる。
【００４４】
以上のようにして、画像表示装置１を使用場所に移動させた後は、画像表示装置１を使用に適した形態に変形し、電源コード７２を電源コードプラグ接続端子７３に接続して電源スイッチをオンするだけで、使用準備が整う。ＬＡＮ６８３やインターネット６８４を利用する場合には、ＬＡＮケーブル６８２をネットワーク接続部端子６８１に接続するだけでよい。
【００４５】
図８は、着座姿勢で討議を行う際の好ましい使用例を示している。画像表示装置１の本体部２を水平状態まで回動させ、かつ、昇降部８２によってオフィス用机とほぼ同じ高さに電子ペンポインター検出入力部３２をセットする。これにより複数の者が画像表示装置１の周りに座り、表示画面を指さしたりしながら討議を行うことができる。
【００４６】
また、電子ペンポインター３３で画面（電子ペンポインター検出入力部３２）をなぞれば、机上の紙に書くのと同じ要領で入力操作を行うことができる。
【００４７】
さらに図８のように、キーボード９１１を画像表示装置１に取り付ければ、机を使用しないで入力操作を行うことができる。キーボード９１１は、キーボード後部に設けられている取り付け用引っ掛け部９１１５を、ハンドル部４１とデータ入出力部６の間に差し込むだけで、容易に取り付け可能である。
【００４８】
図９は、立位姿勢で討議を行う際の好ましい使用例を示している。昇降部８２によって本体部２を最上部にセットし、かつ、電子ペンポインター検出入力部３２を斜め（約４５度）にセットしている。これにより複数の者が画像表示装置１の周りを囲み、表示画面を指さしたり、電子ペンポインター３３で入力をしながら、討議を行うことができる。
【００４９】
図１０は、プレゼンテーション時の好ましい使用例を示している。昇降部８２によって本体部２を最上部にセットし、かつ、電子ペンポインター検出入力部３２を垂直にセットしている。キーボード９１１とスキャナー９２１は、無線通信が可能であるため、置き場所を選ばない。よって会議の参加者の誰もが自由に机上でそれらを利用することができる。また図１０のように、複数のキーボード９１１を用意して、参加者各人が独立に入力操作を行えるようにしてもよい。
【００５０】
画像表示装置１の使用に際して、参加者が持ち寄ったデジタルカメラなどの外部ＵＳＢ機器６３１を接続したり、メモリー媒体６６１やＣＤ／ＤＶＤメディア６７１をセットしたりしてもよい。また、外部ビデオ／テレビチューナー６４１からの映像データや外部ＰＣ情報機器６５１からのデータを画像表示装置１に入力してもよい。このとき、画像表示装置１の前面にデータ入出力部６が設けられているので、前面操作ができ接続作業が容易である。
【００５１】
画像表示装置１に取り込まれた電子データは表示部３に表示される。会議参加者は、その表示されたデータについて検討し、キーボード９１１や電子ペンポインター３３を用いてデータに追加・修正を施し、その修正後のデータを内部メモリー５２に保存したり、データ入出力部６を介して外部機器や外部記録媒体に保存できる。さらには、ＬＡＮ６８３やインターネット６８４経由で外部のサーバーなどに保存することもできる。
【００５２】
図１１は、キーボード９１１の外観斜視図である。キーボード９１１は、キーボードユニット部９１１２（通常のＰＣ用のキーボードと同様のものである。）と、マウスパットユニット部９１１３と、取り出し用指穴部９１１１と、電子ペンポインター収納部９１１４と、取り付け用引っ掛け部９１１５と、を備える。また、図示しないが、通信ユニット、充電池、充電用接続端子部などを内蔵している。
【００５３】
キーボード９１１で入力されたキーは、通信ユニットを介して、本体部２（筐体部４）に内蔵されているキーボードスキャナー通信部９３によって受信される。
【００５４】
キーボード９１１を使用しないときは、図１３に示すように、本体部２の背面に設けられたキーボード充電クレードル９１に収納することができる。収納状態にあるとき、充電
用接続端子部がキーボード充電クレードル９１の端子に接続され、充電が行われる。取り出し用指穴部９１１１は、キーボード９１１をキーボード充電クレードル９１に挿入または取り出すときに指を掛ける部分である。電子ペンポインター収納部９１１４には、電子ペンポインター３３が収納可能である。本実施形態の画像表示装置１は、２つのキーボード９１１を備えている。
【００５５】
図１２は、スキャナー９２１の外観斜視図である。スキャナー９２１は、図示しないが、スキャン用紙９２１２をローラーで送るタイプのスキャンユニット部、通信ユニット、充電池、充電用接続端子部などを内蔵している。また、スキャナー９２１は、取り出し用ハンドル部９２１１、スタートキー９２１３、ストップキー９２１４を備えている。
【００５６】
スキャン用紙９２１２を所定の挿入口から差し入れスタートキー９２１３を押すと、スキャンユニット部がスキャン用紙９２１２を搬送しながら画像を読み取る。読み取りが終了するとスキャン用紙９２１２は取り出し用ハンドル部９２１１側の排出口から排出される。ストップキー９２１４はスキャンを中止するときに使用する。読み取られた画像は、通信ユニットを介して、本体部（筐体部４）に内蔵されているキーボードスキャナー通信部９３によって受信される。
【００５７】
スキャナー９２１を使用しないときは、図１３に示すように、本体部２の背面に設けられたスキャナー充電クレードル９２に収納することができる。収納状態にあるとき、充電用接続端子部がスキャナー充電クレードル９２の端子に接続され、充電が行われる。取り出し用ハンドル部９２１１は、スキャナー９２１をスキャナー充電クレードル９２に挿入または取り出すときに指を掛ける部分である。
【００５８】
図１４及び図１５は、キーボード９１１を水平状態の本体部２に取り付けた様子を示す斜視図である。キーボード９１１の取り付け用引っ掛け部９１１５は、キーボード９１１の後部に設けられており、キーボード９１１の裏面よりも約１〜２ｃｍほど下向きに突出している。取り付け時には、この突出部分を、データ入出力部６とハンドル部４１の間の隙間（この隙間は、画像表示装置１の移動時には、手で握るための空間として使われる。）に挿入する。そうすると、キーボード９１１が自重でやや傾き、取り付け用引っ掛け部９１１５とデータ入出力部６及びハンドル部４１との間にくさび効果が生じる。これによりキーボード９１１の固定が図られる。
【００５９】
図１６は、キーボード９１１を垂直状態の本体部２に取り付けた様子を示す斜視図である。取り付け時には、取り付け用引っ掛け部９１１５を、データ入出力部６とハンドル部４１の間の隙間に挿入する（図１４の場合は垂直方向に挿入したのに対し、図１６の場合は水平方向に挿入する。）。そうすると、キーボード９１１が自重でやや傾き、図１４の場合と同様、取り付け用引っ掛け部９１１５とデータ入出力部６及びハンドル部４１との間にくさび効果が生じる。これによりキーボード９１１の固定が図られる。
【００６０】
このような取付構造により、本体部２が水平の場合も垂直の場合もキーボード９１１を取り付けて、使用することができる。また、マウスパットユニット部９１１３の上でマウスを使用することもできる。よって、従来のようにキーボードやマウスを載置する机を準備する必要がない。なお、取り付け用引っ掛け部９１１５はデータ入出力部６とハンドル部４１の間の隙間ならどこにでも挿入できるため、キーボード９１１は、本体部２の中央、右寄り、左寄りなど所望の位置に固定できる。
【００６１】
以上述べた本実施形態の構成によれば、画像表示装置１の移動および設置が容易となり、使用者が使用時に使用場所まで運ぶという利用態様の増加が期待できる。また、画面角
度の調整や高さの調整ができるので、画像表示装置１の使いやすさが向上するとともに、複数の者が同時に画面を指し示しながら議論を交わすといった従来には無い使い方も可能となる。
【００６２】
なお、上記実施形態は本発明の一具体例を例示したものにすぎない。本発明の範囲は上記実施形態に限られるものではなく、その技術思想の範囲内で種々の変形が可能である。
【図面の簡単な説明】
【００６３】
【図１】本発明の実施形態に係る会議用平面画像表示装置の外観を示す斜視図である。
【図２】図１の画像表示装置の構成を示すブロック図である。
【図３】図１の画像表示装置を背面から見た外観を示す斜視図である。
【図４】図１の画像表示装置を右面から見た外観を示す斜視図である。
【図５】図１の画像表示装置の本体部が水平にセットされた状態を示す斜視図である。
【図６】移動時の好ましい使用例を示す図である。
【図７】移動時の好ましい使用例を示す図である。
【図８】着座姿勢で討議を行う際の好ましい使用例を示す図である。
【図９】立位姿勢で討議を行う際の好ましい使用例を示す図である。
【図１０】プレゼンテーション時の好ましい使用例を示す図である。
【図１１】キーボードの外観を示す斜視図である。
【図１２】スキャナーの外観を示す斜視図である。
【図１３】キーボード及びスキャナーの収納部を示す図である。
【図１４】キーボードを水平状態の本体部に取り付けた様子を示す図である。
【図１５】キーボードを水平状態の本体部に取り付けた様子を示す図である。
【図１６】キーボードを垂直状態の本体部に取り付けた様子を示す図である。
【図１７】従来の会議用平面画像表示装置の外観を示す斜視図である。
【符号の説明】
【００６４】
１  会議用平面画像表示装置
２  平面画像表示装置本体部
３  平面画像表示部
３１  表示画像ユニット部
３２  電子ペンポインター検出入力部
３３  電子ペンポインター
３４  手かけ部
３５  バンパー
４  装置駆動筐体部
４１  ハンドル部
５  情報処理部
５１  演算部
５２  内部メモリー
６  データ入出力部
６１  表示出力部
６２  音声アンプスピーカー部
６３  ＵＳＢ入出力部
６３１  外部ＵＳＢ機器
６４  ビデオ入力部
６４１  外部ビデオ／テレビチューナー
６５  ＲＧＢ入出力部
６５１  外部ＰＣ情報機器
６６  外部メモリー媒体入出力部
６６１  メモリー媒体
６７  ＣＤ／ＤＶＤ再生記録部
６７１  ＣＤ／ＤＶＤメディア
６８  ネットワーク接続部
６８１  ネットワーク接続部端子
６８２  ＬＡＮケーブル
６８３  ＬＡＮ
６８４  インターネット
７  電源供給部
７１  電源部
７２  電源コード
７３  電源コードプラグ接続端子
７４  キーボードスキャナー充電部
７５  電源スイッチ
８  キャスター
８１  脚部
８２  昇降部
８３  昇降解除ペダル
８４  支持部
８５  軸部
９  収納充電クレードル部
９１  キーボード充電クレードル
９１１  通信機能搭載キーボード
９１１１  取り出し用指穴部
９１１２  キーボードユニット部
９１１３  マウスパットユニット部
９１１４  電子ペンポインター収納部
９１１５  取り付け用引っ掛け部
９２  スキャナー充電クレードル
９２１  通信機能搭載スキャナー
９３  キーボードスキャナー通信部
９２１１  取り出し用ハンドル部
９２１２  スキャン用紙
９２１３  スタートキー
９２１４  ストップキー
【図１】
2006064845.tif 000003
【図２】
2006064845.tif 000004
【図３】
2006064845.tif 000005
【図４】
2006064845.tif 000006
【図５】
2006064845.tif 000007
【図６】
2006064845.tif 000008
【図７】
2006064845.tif 000009
【図８】
2006064845.tif 000010
【図９】
2006064845.tif 000011
【図１０】
2006064845.tif 000012
【図１１】
2006064845.tif 000013
【図１２】
2006064845.tif 000014
【図１３】
2006064845.tif 000015
【図１４】
2006064845.tif 000016
【図１５】
2006064845.tif 000017
【図１６】
2006064845.tif 000018
【図１７】
2006064845.tif 000019